(57)【要約】  【課題】  演奏者に、会得が困難である撥の正しい把持の仕方を誘導することができ、且つ、弦に有効に演奏者からの力を伝達することができる撥を提供する。  【解決手段】  演奏者が把持する撥手元１２と、弦を弾く撥先１４とからなり、撥手元１２の表面には、演奏者の人差し指、中指及び薬指を当てるための３つの人差し指用溝２０、中指用溝２１及び薬指用溝２２が形成される。【選択図】  図１
2005201984.tif 000002
【特許請求の範囲】
【請求項１】
演奏者が把持する撥手元と、弦を弾く撥先とからなる撥において、
撥手元の表面には、演奏者の人差し指、中指及び薬指を当てるための３つの人差し指用溝、中指用溝及び薬指用溝が形成されてなることを特徴とする撥。
【請求項２】
前記各３つの溝の長手方向と撥の長手方向との間でなす角度（＜９０°とする）は、人差し指用溝の長手方向と撥の長手方向との間でなす角度が最も大きく、中指用溝の長手方向と撥の長手方向との間でなす角度が２番目に大きく、薬指用溝の長手方向と撥の長手方向との間でなす角度が最も小さいことを特徴とする請求項１記載の撥。
【請求項３】
前記人差し指用溝、中指用溝及び薬指用溝のそれぞれの最も窪んだ部分の溝深さは、薬指用溝が最も大きいことを特徴とする請求項１または２記載の撥。
【請求項４】
前記人差し指用溝、中指用溝及び薬指用溝のそれぞれの最も窪んだ部分の溝深さは、最大で、１．０ｍｍから３．０ｍｍの間にあることを特徴とする請求項１ないし３のいずれか１項に記載の撥。
【請求項５】
前記人差し指用溝、中指用溝及び薬指用溝のそれぞれの長手方向の長さは、中指用溝の長さが最も大きいことを特徴とする請求項１ないし４のいずれか１項に記載の撥。
【請求項６】
前記人差し指用溝と中指用溝との間の撥の長手方向の間隔は、中指用溝と薬指用溝との間の撥の長手方向の間隔よりも大きいことを特徴とする請求項１ないし５のいずれか１項に記載の撥。
【請求項７】
前記撥先の最先端から人差し指用溝までの撥の長手方向に沿って測った長さは、６５〜９０ｍｍの間にあることを特徴とする請求項１ないし６のいずれか１項に記載の撥。
【請求項８】
前記人差し指用溝、中指用溝及び薬指用溝は、撥手元の表面の上面と下面にそれぞれ形成されることを特徴とする請求項１ないし７のいずれか１項に記載の撥。
【請求項９】
請求項１ないし８のいずれか１項に記載の撥に使用される撥手元。
【発明の詳細な説明】
【技術分野】
【０００１】
本発明は、三味線等に用いられる撥及び撥手元に関する。
【背景技術】
【０００２】
従来、この種の撥は、演奏者が把持する撥手元と、弦を弾く撥先とからなり、撥手元は、横断面が矩形形状をなしており、その矩形形状が、撥先に向かうに従って、先端付近においてはその幅が漸次幅広になると共に、肉厚が漸次薄くなる形状をなしており、この形状は伝統的に不変のものである。
【０００３】
しかしながら、このような従来の撥形状は、その横断面が矩形形状をなした角張った形状であるために把持しにくく、また、形状が漸次変化しているだけであるために把持する目安がなくて、正しい把持の仕方が分かりにくいという問題があった。特に演奏者が初心者、子供である場合には、正しい把持ができないという問題があった。
【０００４】
三味線の場合、撥を弦に当てる角度は撥手元を把持する角度によって決まり、その弦へ正しく力を伝達するためには、正しく撥手元を把持することが非常に重要にあるにもかかわらず、従来の撥では、正しい把持の仕方を会得するためには演奏者は長い時間をかけて熟練していくより他なかった。
【０００５】
かかる問題を解決するためのものとして、実開昭５１−１２１３１４号公報（特許文献１）に記載された改良三味線撥は、撥本体の中央部に方形の指あて部を固定し、さらに、撥本体の本部に円形の孔を穿設しており、小指を孔に通し、他の指を指あて部に密着して使うように意図している。
【０００６】
その他、実開平５−４７９９３号公報（特許文献２）に記載のように、ギター演奏用のピックの表面に指先のすべりを止めるためのピックの周縁の形状に合わせた溝を設けたものもある。
【０００７】
しかしながら、特許文献１に記載のものでは、小指の配置を決めることはできても、他の指の位置を固定することはできないという問題がある。
【０００８】
また、特許文献２に記載のものは、単に親指及び人差し指のすべり止めを行うためのものであり、正しい把持の仕方が、特許文献２の溝によって誘導される訳ではない。
【０００９】
【特許文献１】実開昭５１−１２１３１４号公報
【特許文献２】実開平５−４７９９３号公報
【発明の開示】
【発明が解決しようとする課題】
【００１０】
本発明はかかる課題に鑑みなされたもので、その目的は、演奏者に、会得が困難である撥の正しい把持の仕方を誘導することができ、且つ、弦に演奏者からの力を効果的に伝達することができる撥及び撥手元を提供することである。
【課題を解決するための手段】
【００１１】
上記目的を達成するために、本発明のうち請求項１記載の発明は、演奏者が把持する撥手元と、弦を弾く撥先とからなる撥において、
撥手元の表面には、演奏者の人差し指、中指及び薬指を当てるための３つの人差し指用溝、中指用溝及び薬指用溝が形成されてなることを特徴とする。
【００１２】
請求項２記載のものは、請求項１記載のものにおいて、前記各３つの溝の長手方向と撥の長手方向との間でなす角度（＜９０°とする）は、人差し指用溝の長手方向と撥の長手方向との間でなす角度が最も大きく、中指用溝の長手方向と撥の長手方向との間でなす角度が２番目に大きく、薬指用溝の長手方向と撥の長手方向との間でなす角度が最も小さいことを特徴とする。
【００１３】
請求項３記載のものは、請求項１または２記載のものにおいて、前記人差し指用溝、中指用溝及び薬指用溝のそれぞれの最も窪んだ部分の溝深さは、薬指用溝が最も大きいことを特徴とする。
【００１４】
請求項４記載のものは、請求項１ないし３のいずれか１項に記載のものにおいて、前記人差し指用溝、中指用溝及び薬指用溝のそれぞれの最も窪んだ部分の溝深さは、最大で、１．０ｍｍから３．０ｍｍの間にあることを特徴とする。
【００１５】
請求項５記載のものは、請求項１ないし４のいずれか１項に記載のものにおいて、前記人差し指用溝、中指用溝及び薬指用溝のそれぞれの長手方向の長さは、中指用溝の長さが最も大きいことを特徴とする。
【００１６】
請求項６記載のものは、請求項１ないし５のいずれか１項に記載のものにおいて、前記人差し指用溝と中指用溝との間の撥の長手方向の間隔は、中指用溝と薬指用溝との間の撥の長手方向の間隔よりも大きいことを特徴とする。
【００１７】
請求項７記載のものは、請求項１ないし６のいずれか１項に記載のものにおいて、前記撥先の最先端から人差し指用溝までの撥の長手方向に沿って測った長さは、６５〜９０ｍｍの間にあることを特徴とする。
【００１８】
請求項８記載のものは、請求項１ないし７のいずれか１項に記載のものにおいて、前記人差し指用溝、中指用溝及び薬指用溝は、撥手元の表面の上面と下面にそれぞれ形成されることを特徴とする。
【００１９】
請求項９記載のものは、請求項１ないし８のいずれか１項に記載の撥に使用される撥手元を特徴とする。
【発明の効果】
【００２０】
本発明によれば、演奏者は、撥手元の表面に形成された３つの溝にそれぞれ人差し指、中指及び薬指を置くことにより、正しい把持の仕方を自動的に誘導されることとなる。これらの３本の指の位置を溝によって規制することにより、自動的に弦に対する撥の角度が決まり、安定して演奏を行うことができるようになる。また、溝があることにより、指からの力を撥へと伝達しやすくなり、適切な力を弦へと伝達することができるようになる。
【００２１】
こうして、初心者・子供・視覚障害者のみならず、プロの演奏者においても、安定して演奏を行うことができるようになる。
【発明を実施するための最良の形態】
【００２２】
以下、図面を用いて本発明の実施の形態を説明する。
【００２３】
図１は、本発明の実施形態に係る撥の斜視図である。図において、１０は、三味線等の弦を弾くための撥であり、撥１０は、演奏者が把持する撥手元１２と、撥手元１２の先端に連結されて、弦を直接叩く撥先１４とからなる。
【００２４】
撥手元１２は、紅木等の木材、プラスチック、動物の骨、牙等の材料から構成され、その形状は、手元から先端に向かって伸びる長手方向１６に直交する横断面形状が矩形形状であり、その矩形形状が、長手方向１６を先端に向かうに従って変化する形状をなしている。幅、肉厚のそれぞれの変化は、従来と同様の任意の変化が可能であるが、例えば、幅に関しては、長手方向１６に関して中央部分において、最も小さく、そして、先端付近においてはその幅が漸次幅広になるように変化している。また、肉厚に関しては、長手方向１６に沿って先端に向かうに従って、漸次薄くなるように変化している。
【００２５】
撥先１４は、鼈甲、木材、プラスチック、動物の骨、牙等の材料から構成され、その形状は、撥手元１２に連続して、その先端に向かうに従って、その幅が漸次幅広になるように変化し、その肉厚が漸次薄くなるように変化している。
【００２６】
撥手元１２と撥先１４とは、一体品で構成することも可能であるが、別体となっており、接着剤または水によって一体的に固着される。
【００２７】
撥手元１２の表面の上面と下面には、それぞれ、３つの溝２０、２１、２２が形成されている。図１では上面のみ表すが、下面においても同様である。
【００２８】
３つの溝２０、２１、２２は、それぞれ、人差し指、中指、薬指を置くための人差し指用溝、中指用溝、薬指用溝であり、人差し指用溝２０、中指用溝２１、薬指用溝２２の平面視形状は、指の先端形状に合致した形状となっている。同様に、その側面視形状も、指の横断面形状に適合するべく、中央が最も窪んだ形状となっている。
【００２９】
人差し指用溝２０、中指用溝２１、薬指用溝２２の長手方向２０ａ、２１ａ、２２ａと、撥手元１２の長手方向１６とのなす角度は直角ではなく、斜めの角度となっており、且つ、各溝２０、２１、２２の長手方向２０ａ、２１ａ、２２ａは互いに平行ではなく、従って、長手方向２０ａ、２１ａ、２２ａと、撥１０の長手方向１６とのなす角度θ１、θ２、θ３は互いに異なっている。そして、これらの撥１０の長手方向１６の後端から先端に向かうベクトルと、各溝の長手方向２０ａ、２１ａ、２２ａの後端から先端に向かうベクトルとのなす角度θ１、θ２、θ３は、すべて鋭角、即ち９０°未満となっている。好ましい条件としては、長手方向２０ａと撥手元１２の長手方向１６とのなす角度θ１が最も９０度に近く、長手方向２０ａと撥手元１２の長手方向１６とのなす角度θ２が二番目に９０度に近く、長手方向２２ａと撥手元１２の長手方向１６とのなす角度θ３が最も９０度からずれて傾斜している。つまり、角度θ１〜θ３までの大小関係は以下の通りとなる。
【００３０】
θ１＞θ２＞θ３
さらに、具体的には、θ１は７０〜８５°、θ２は６５〜８０°、θ３は５５〜７５°の範囲にあると良い。
【００３１】
尚、ここで、人差し指用溝２０、中指用溝２１、薬指用溝２２の長手方向２０ａ、２１ａ、２２ａは、平面で見て各溝の対向する２つの辺と平行な方向とするか、または、溝の最も窪んだ谷底部分（即ち逆尾根部分）の連続線の方向とするか、とする。
【００３２】
また、人差し指用溝２０、中指用溝２１、薬指用溝２２のそれぞれの溝深さｄ１、ｄ２、ｄ３はすべて同じではなく異なっていると良い。好ましい条件としては、薬指用溝２２の溝深さｄ３が最も大きくなっていることである。また、中指用溝２１の溝深さｄ２と人差し指用溝２０の溝深さｄ１は同程度か、または、中指用溝２１の溝深さｄ２が人差し指用溝２０の溝深さｄ１より若干大きくなっているとよい。
【００３３】
また、溝深さは浅すぎても効果がなく、深すぎても、指からの力が弦へと伝わり難くなる。好ましい条件としては、各溝の最も窪んだ部分の溝深さが、最大で１．０ｍｍから３．０ｍｍ程度の間になるようにするとよい。
【００３４】
また、人差し指用溝２０、中指用溝２１、薬指用溝２２の長手方向２０ａ、２１ａ、２２ａの長さｌ１、ｌ２、ｌ３は、すべて同じではなく異なっていると良い。好ましい条件としては、中指用溝２１の長さｌ２が最も大きくなっていることである。
【００３５】
また、人差し指用溝２０と中指用溝２１との間の撥１０の長手方向１６の間隔ｓ１と、中指用溝２１と薬指用溝２２との間の撥１０の長手方向１６の間隔ｓ２は、同じではなくｓ２の方が小さくなっている。
【００３６】
また、撥先１４の最先端からの人差し指用溝２０までの撥１０の長手方向１６に沿って測った長さＬは、約６５〜９０ｍｍの間となっていると良い。
【００３７】
以上のように構成される撥１０を使用する際には、演奏者は撥１０の撥手元１２を握り、その際に、人差し指、中指及び薬指をそれぞれ撥手元１２の表面の上面か下面のいずれかの面に形成された人差し指用溝２０、中指用溝２１及び薬指用溝２２に置く。こうして、演奏者は、把持の仕方を自動的に溝２０、２１、２２によって誘導され強制されることとなる。
【００３８】
従来の撥の把持において、初心者が最も陥りやすいのは、人差し指、中指及び薬指が互いに平行な状態で且つ十分に手が広がっていない状態で撥手元を握ってしまうことと、小指が曲がってしまうことである。本実施形態においては、人差し指用溝２０、中指用溝２１、薬指用溝２２が平行ではなく、適切な正しい角度に形成されているために、人差し指、中指及び薬指が正しい角度で撥手元１２を把持することができる。また、本実施形態の撥１０では小指を誘導するための孔や溝は一切設けていないが、人差し指、中指及び薬指が本実施形態の条件に従って形成された人差し指用溝２０、中指用溝２１、薬指用溝２２に置かれると、自然に小指が伸びて、結果として、手の指が全体的に広がり正しく把持できる（図４参照）。正しい撥１０の持ち方ができると、結果として手首の角度が適正になり、正しい角度で撥１０を弦に当てることができる。
【００３９】
また、三味線の演奏、特に、津軽三味線の演奏においては、その力を十分に弦に伝達することが重要であり、その場合に、薬指が最も重要な役割を果たす。本実施形態においては、薬指用溝２２の溝深さが最も深くなっているために、薬指からの力を十分に且つ安定して弦へと伝達することができる。
【００４０】
演奏を行ううちに、撥先１４の先端の弦に当たるいずれかの側部が磨り減ったりまたは破損すると、撥手元１２の上面と下面を入れ替えて、持ち変えることで撥に当たる撥先１４の先端の側部を変えることができ、その際には、撥手元１２の反対の面に形成された人差し指用溝２０、中指用溝２１及び薬指用溝２２に人差し指、中指及び薬指を置けば、同じように演奏をすることができる。尚、先端の両側部が磨り減った場合には、撥先１４だけを交換するだけで良く、人差し指用溝２０、中指用溝２１及び薬指用溝２２が形成された撥手元１２は長期間に渡り使用することができる。
【００４１】
こうして、初心者、子供、視覚障害者においても、簡単に撥１０を持つことができるのみならず、プロの演奏家においても、弦へと適切な力を加えることができて、良好な演奏を行うことができるようになる。
【図面の簡単な説明】
【００４２】
【図１】本発明の実施形態に係る撥の全体斜視図である。
【図２】図１の撥の平面図である。
【図３】図１の撥の側面図である。
【図４】図１の撥を把持した状態を表す図である。
【符号の説明】
【００４３】
１０  撥
１２  撥手元
１４  撥先
１６  長手方向
２０  人差し指用溝
２１  中指用溝
２２  薬指用溝
【図１】
2005201984.tif 000003
【図２】
2005201984.tif 000004
【図３】
2005201984.tif 000005
【図４】
2005201984.tif 000006